(57)【特許請求の範囲】
【請求項１】
光ピックアップを搭載したキャリッジを機構シャーシ側に互いに平行に対向配置された一対の軸部材にて支持し、これら軸部材のスラスト方向に沿って前記キャリッジを往復移動可能となすと共に、前記軸部材の前記機構シャーシに対する取付高さを調整可能とした光ピックアップ移送機構の調整装置において、
前記軸部材の一端部を支持する軸端支持部と揺動中心となる支点部とを有するとともに該軸部材に対して並設された調整ブラケットと、この調整ブラケットの前記支点部を前記機構シャーシに係止する係止手段と、前記調整ブラケットに摺接して前記揺動方向を規定する規制手段と、前記調整ブラケットと前記機構シャーシとの間に介設し、前記調整ブラケットを前記機構シャーシから離反する向きに付勢するばね部材と、前記機構シャーシに設けた螺合部に螺着されて前記調整ブラケットを前記ばね部材を介して前記機構シャーシの前記螺合部に連結せしめる調整ねじとを備え、
前記ばね部材および前記調整ねじを、前記調整ブラケットの前記軸端支持部と前記支点部との間に配設し、
前記調整ねじの前記螺合部に対する螺進退により前記調整ブラケットが前記支点部を中心に揺動することにより前記調整ブラケットの前記軸端支持部が前記機構シャーシに対して昇降し、この前記軸端支持部の昇降動作に伴って前記軸端支持部に支持された前記軸部材の前記一端部が前記機構シャーシに対して昇降されるようにしたことを特徴とする光ピックアップ移送機構の調整装置。
【請求項２】
請求項１の記載において、前記調整ブラケットの前記支点部から前記軸端支持部までの距離よりも、該支点部から前記調整ねじまでの距離を短く設定したことを特徴とする光ピックアップ移送機構の調整装置。
【請求項３】
請求項１または２の記載において、前記係止手段として前記機構シャーシに先端部が幅広な切り起こし部を立設すると共に、この切り起こし部の前記幅広先端部が挿通可能な幅広孔と該幅広孔に連通して前記幅広先端部が挿通不能な幅狭孔とを有する係止孔を前記調整ブラケットに設け、前記切り起こし部を前記幅広孔を経由して前記幅狭孔に嵌入させることにより前記幅広先端部が前記調整ブラケットを係止するようにしたことを特徴とする光ピックアップ移送機構の調整装置。
【請求項４】
請求項１〜３のいずれかの記載において、前記規制手段として前記機構シャーシにガイドピンを立設すると共に、前記軸部材のスラスト方向に沿って延びて前記ガイドピンを摺動自在に挿通する長孔を前記調整ブラケットに設けたことを特徴とする光ピックアップ移送機構の調整装置。
【発明の詳細な説明】
【０００１】
【発明の属する技術分野】
本発明は、ＤＶＤやＣＤなどのディスクに対して情報の記録や再生を行うディスク装置における光ピックアップの移送機構に係り、特に、光ピックアップを搭載したキャリッジを支持してスラスト方向に移動させるガイドシャフトやスクリューシャフト等の軸部材の取付高さを調整するための調整装置に関する。
【０００２】
【従来の技術】
光ピックアップを用いてＤＶＤやＣＤなどのディスクに対して情報の記録や再生を行うディスク装置には、該光ピックアップをディスクの径方向に沿って移送するために、図４に示すような光ピックアップ移送機構が具備されている。
【０００３】
同図において、符号１は光ピックアップ２を搭載したキャリッジであり、このキャリッジ１はガイドシャフト３とスクリューシャフト４との間に配置されている。これらのガイドシャフト３およびスクリューシャフト４は、図示せぬ機構シャーシの片面側において互いに平行に対向配置されており、スクリューシャフト４は図示せぬスレッドモータを駆動源として正逆両方向へ回転駆動されるようになっている。キャリッジ１の両側面には受け部１ａ，１ｂが突設されており、一方の受け部１ａはガイドシャフト３の周面に当接し、他方の受け部１ｂはスクリューシャフト４に遊挿されている。また、キャリッジ１には板ばね５が片持ち梁状にねじ止めされており、この板ばね５の自由端側にはハーフナットと呼ばれる雌ねじ部材６が固定されている。そして、この雌ねじ部材６に約半周にわたって刻設されている歯部が、板ばね５からの弾発力を受けてスクリューシャフト４のねじ部４ａに噛合している。
【０００４】
このように概略構成された光ピックアップ移送機構は、スクリューシャフト４が正逆いずれかの方向へ回転すると、その回転力が雌ねじ部材６により直線運動に変換されてキャリッジ１に伝達されるため、キャリッジ１がガイドシャフト３およびスクリューシャフト４のスラスト方向（図４の矢印方向）に沿って移動する。その結果、キャリッジ１に搭載されている光ピックアップ２が図示せぬディスクの径方向へ移送されることとなり、該ディスクに対する情報の記録動作や再生動作が可能となる。
【０００５】
ところで、光ピックアップを備えたディスク装置においては、光ピックアップの対物レンズの光軸がディスクの記録面に対して垂直に保たれていないと、レーザ光のスポットに歪みが発生するなどして検出精度の低下を招きやすい。そのため、上述した光ピックアップ移送機構では、キャリッジ１を支持してスラスト方向に移動させるガイドシャフト３とスクリューシャフト４の平行度を保つことによって、光ピックアップ２の対物レンズの光軸がディスクの記録面に対して垂直に保たれるようにしている。しかしながら、ＤＶＤのように記録密度の極めて高いディスクに対して光ピックアップによる情報の記録や再生を行う場合には、ディスクの記録面と光ピックアップの対物レンズの光軸との垂直度が僅かに損なわれただけで検出精度が大幅に低下してしまうので、各部品の寸法公差の累積などに起因する該光軸の僅かな傾きについても是正しておく必要がある。
【０００６】
そこで従来、特開平１０−１２５０１６号公報に開示されているように、ガイドシャフト等の軸部材の端部を昇降可能に保持することにより、該軸部材の取付高さが組立後に調整できるようにした調整装置が提案されている。かかる従来の調整装置は、軸部材の一端部を支持する保持部材を、機構シャーシに立設した支持台に昇降自在に取り付け、この保持部材を機構シャーシ側から弾性部材にて付勢すると共に、前記支持台に螺着させた調整ねじによって保持部材を反機構シャーシ側から押さえつけるというものである。したがって、弾性部材の付勢力に抗して調整ねじを螺進させれば保持部材と一体的に軸部材の一端部を押し下げることができ、逆に調整ねじを螺退させれば弾性部材の付勢力により保持部材が上昇するので該軸部材の一端部を押し上げることができる。つまり、組立後に保持部材を適宜昇降させることにより、ガイドシャフト等の軸部材の取付高さの調整を行うことができるので、光ピックアップの対物レンズの光軸の僅かな傾きも調整可能となる。
【０００７】
【発明が解決しようとする課題】
上述した特開平１０−１２５０１６号公報記載の従来技術は、軸部材の一端部を支持する保持部材と機構シャーシとの間に、該シャーシに立設した支持台と板ばね等の弾性部材とを介在させ、かつ保持部材の反機構シャーシ側から調整ねじを取り付ける構成になっているので、調整装置全体の高さ寸法を抑制することが困難であるという不具合があった。すなわち、かかる従来技術においては、調整装置を構成する各部材を積み重ねるようにして機構シャーシの片面側に組み付けなければならないので、必然的に全体の高さ寸法が増してしまい、それゆえディスク装置の薄型化の阻害要因となりやすかった。
【０００８】
本発明はこのような従来技術の課題に鑑みてなされたもので、その目的は、薄型化を阻害することなくガイドシャフトやスクリューシャフト等の軸部材の取付高さの調整が簡単に行える光ピックアップ移送機構の調整装置を提供することにある。
【０００９】
【課題を解決するための手段】
上述した目的を達成するため、本発明は、光ピックアップを搭載したキャリッジを機構シャーシ側に互いに平行に対向配置された一対の軸部材にて支持し、これら軸部材のスラスト方向に沿って前記キャリッジを往復移動可能となすと共に、前記軸部材の前記機構シャーシに対する取付高さを調整可能とした光ピックアップ移送機構の調整装置において、前記軸部材の一端部を支持する軸端支持部と揺動中心となる支点部とを有するとともに該軸部材に対して並設された調整ブラケットと、この調整ブラケットの前記支点部を前記機構シャーシに係止する係止手段と、前記調整ブラケットに摺接して前記揺動方向を規定する規制手段と、前記調整ブラケットと前記機構シャーシとの間に介設し、前記調整ブラケットを前記機構シャーシから離反する向きに付勢するばね部材と、前記機構シャーシに設けた螺合部に螺着されて前記調整ブラケットを前記ばね部材を介して前記機構シャーシの前記螺合部に連結せしめる調整ねじとを備え、前記ばね部材および前記調整ねじを、前記調整ブラケットの前記軸端支持部と前記支点部との間に配設し、前記調整ねじの前記螺合部に対する螺進退により前記調整ブラケットが前記支点部を中心に揺動することにより前記調整ブラケットの前記軸端支持部が前記機構シャーシに対して昇降し、この前記軸端支持部の昇降動作に伴って前記軸端支持部に支持された前記軸部材の前記一端部が前記機構シャーシに対して昇降されるようにしたことを特徴とする。
【００１０】
このように構成される光ピックアップ移送機構の調整装置は、ガイドシャフトやスクリューシャフト等の軸部材とは機構シャーシに対して積み重ねずに該軸部材に対して並設され、機構シャーシに調整ねじを介して連結した調整ブラケットを備え、軸端支持部の側方の適宜個所で調整ブラケットに調整ねじを取り付けたり、その支点部に機構シャーシを係止させたりすればよく、高さ方向に軸部材、調整ブラケット等の各部材を積み重ねない構成で軸部材の高さ調整を行なえて、ディスク装置の薄型化を阻害する心配がない。
また、ばね部材および調整ねじを調整ブラケットの軸端支持部と支点部との間に配設しておけば、調整ブラケットをさほど大きくする必要がなくなるので、スペースファクタの向上を図るうえで好ましい。
【００１１】
また、かかる調整装置において、調整ブラケットの支点部から軸端支持部までの距離よりも、該支点部から調整ねじまでの距離を短く設定しておけば、軸部材の取付高さの調整量が大きい場合にも短寸の調整ねじで対応させることができるので、全体の高さ寸法を低減させるうえで好ましい。
【００１２】
また、かかる調整装置において、前記係止手段として機構シャーシに先端部が幅広な切り起こし部を立設すると共に、この切り起こし部の前記幅広先端部が挿通可能な幅広孔と該幅広孔に連通して前記幅広先端部が挿通不能な幅狭孔とを有する係止孔を調整ブラケットに設け、切り起こし部を幅広孔を経由して幅狭孔に嵌入させると幅広先端部が調整ブラケットを係止するようにしておけば、調整ブラケットを取り付ける際に、その支点部に機構シャーシ側の切り起こし部を簡単に係止させることができる。しかも、こうして切り起こし部を調整ブラケットの支点部に係止させてしまえば、調整ねじ等の取付作業も簡単に行えるので、組立性の向上を図るうえで好ましい。
【００１３】
また、かかる調整装置において、前記規制手段として機構シャーシにガイドピンを立設すると共に、軸部材のスラスト方向に沿って延びて前記ガイドピンを摺動自在に挿通する長孔を調整ブラケットに設けておけば、調整ブラケットの揺動時に長孔の内壁がガイドピンに規制されることになるので、調整ブラケットの揺動方向を簡単な構成で精度よく規定することができる。
【００１５】
【発明の実施の形態】
本発明の実施の形態を図面を参照して説明すると、図１は本発明の実施形態例に係る光ピックアップ移送機構の調整装置を示す分解斜視図、図２は該調整装置の断面図、図３は該調整装置の平面図である。
【００１６】
これらの図に示す調整装置は、ＤＶＤ等のディスクに対して情報の記録や再生を行うディスク装置の光ピックアップ移送機構に組み込まれており、図示せぬキャリッジを支持してスラスト方向に移動させるスクリューシャフトの一端部の取付高さを調整するためのものである。なお、前述したように、図示せぬ光ピックアップを搭載しているキャリッジは、機構シャーシの片面側に互いに平行に対向配置された一対の軸部材にて支持されており、本実施形態例の場合、スクリューシャフトと図示せぬガイドシャフトとがキャリッジを支持している。
【００１７】
まず、かかる調整装置の構成について説明すると、符号１０はスクリューシャフト、１１は機構シャーシ、１２は該機構シャーシ１１の一部を切り起こしてなり幅広先端部１２ａおよび幅狭ガイド部１２ｂを有する切り起こし部、１３は機構シャーシ１１に固設されて起立する金属製のガイドピン、１４は該ガイドピン１３に外挿されているコイルばね、１５は合成樹脂製の調整ブラケット、１６は該調整ブラケット１５を機構シャーシ１１に連結している調整ねじである。この調整ブラケット１５には、スクリューシャフト１０の一端部１０ａを挿入して支持する軸端支持部１５ａと、スクリューシャフト１０のスラスト方向に沿って延びてガイドピン１３を摺動自在に挿通している長孔１５ｂと、調整ねじ１６を挿通しているねじ挿通孔１５ｃと、幅広孔１５ｄおよび幅狭孔１５ｅを有する略Ｔ字形の係止孔１５ｆが設けられており、幅狭孔１５ｅの両縁部が調整ブラケット１５の揺動中心である支点部１５ｇとなっている。係止孔１５ｆの幅広孔１５ｄは切り起こし部１２の幅広先端部１２ａが挿通可能な大きさに形成されており、また係止孔１５ｆの幅狭孔１５ｅは切り起こし部１２の幅狭ガイド部１２ｂよりも若干幅広に形成されているが、この幅狭孔１５ｅに幅広先端部１２ａを挿入させることはできない。一方、機構シャーシ１１には調整ブラケット１５のねじ挿通孔１５ｃと対向する位置に、ねじ溝を形成してなる螺合部１１ａが設けられており、この螺合部１１ａに調整ねじ１６を螺着させることにより、図２に示すように調整ブラケット１５が機構シャーシ１１に連結されている。また、コイルばね１４は、図２に示すように調整ブラケット１５を機構シャーシ１１から離反する向きに付勢している。なお、このコイルばね１４をガイドピン１３ではなく調整ねじ１６に外挿してもよく、コイルばねの代わりに板ばねを調整ブラケット１５と機構シャーシ１１との間に介設してもよい。
【００１８】
調整ブラケット１５を機構シャーシ１１に取り付ける際には、スクリューシャフト１０の一端部１０ａを軸端支持部１５ａに挿入すると共に、コイルばね１４を外挿したガイドピン１３を長孔１５ｂに挿入し、かつ切り起こし部１２の幅広先端部１２ａを幅広孔１５ｄに挿通させてから、調整ブラケット１５を機構シャーシ１１に対して若干量スライドさせることにより、切り起こし部１２の幅狭ガイド部１２ｂを幅狭孔１５ｅ内へ相対的に移動させる。これにより、調整ブラケット１５は、幅狭孔１５ｅの両縁部（支点部１５ｇ）が切り起こし部１２の幅広先端部１２ａに係止された状態となるので、この係止部位を支点として調整ブラケット１５は機構シャーシ１１に対し揺動可能に支持された状態となる。ただし、機構シャーシ１１に立設されているガイドピン１３が長孔１５ｂに摺動自在に挿通され、調整ブラケット１５の揺動時に長孔１５ｂの内壁がガイドピン１３に規制されるので、調整ブラケット１５の揺動方向は図２の矢印方向（図３の紙面に直交する方向）に規定される。したがって、この状態でねじ挿通孔１５ｃに挿通した調整ねじ１６を螺合部１１ａにねじ込んでいけば、コイルばね１４の弾発力を受けている調整ブラケット１５は、調整ねじ１６の螺進量が増すにつれて機構シャーシ１１側に近接した姿勢に保持されることとなる。すなわち、調整ねじ１６を適宜螺進退させることによって、軸端支持部１５ａを所望の高さに配置させた姿勢で調整ブラケット１５を機構シャーシ１１に取り付けることができるので、スクリューシャフト１０の一端部１０ａを所望の取付高さに設定する調整が簡単に行える。
【００１９】
しかも、上述した調整装置は、軸端支持部１５ａの側方に長孔１５ｂやねじ挿通孔１５ｃ、係止孔１５ｆ等を設けた調整ブラケット１５を使用し、これら各孔１５ｂ，１５ｃ，１５ｆにそれぞれガイドピン１３、調整ねじ１６、切り起こし部１２を係合させる構成にしてあり、これら各部材を高さ方向に積み重ねる必要がないので、全体の高さ寸法がかなり抑制されている。それゆえ、この調整装置はディスク装置の薄型化を阻害する心配がない。
【００２０】
また、上述した調整装置は、調整ブラケット１５の軸端支持部１５ａと支点部１５ｇとの間にコイルばね１４および調整ねじ１６を位置させる構成にしてあるので、調整ブラケット１５の全長が軸端支持部１５ａの揺動半径と同程度に抑えられ、スペースファクタが良好である。さらに、かかる構成の場合、調整ブラケット１５の支点部１５ｇから軸端支持部１５ａまでの距離よりも、支点部１５ｇから調整ねじ１６までの距離のほうが短くなるので、スクリューシャフト１０の一端部１０ａの取付高さの調整量が大きい場合にも短寸の調整ねじ１６で対応させることができ、この点からも薄型化に好適な構成といえる。
【００２１】
また、上述した調整装置は、調整ブラケット１５を機構シャーシ１１に取り付ける際に、幅広孔１５ｄへ挿入した切り起こし部１２を幅狭孔１５ｅ内へと導けば、切り起こし部１２の幅広先端部１２ａにて調整ブラケット１５の支点部１５ｇを係止して、この調整ブラケット１５を揺動可能に保持できると共に、その状態で調整ねじ１６を簡単に組み付けることができるので、組立性に優れている。
【００２２】
また、上述した調整装置は、調整ブラケット１５の揺動時に長孔１５ｂの内壁がガイドピン１３に規制されるようにしてあるので、調整ブラケット１５の揺動方向を簡単な構成で精度よく規定することができる。
【００２３】
なお、本実施形態例では、キャリッジを支持する一方の軸部材であるスクリューシャフトの一端部の取付高さを調整するための装置について説明しているが、この軸部材の他端部にも同様の調整装置を設けておけば、一対の軸部材（スクリューシャフトとガイドシャフト）どうしの平行度を確保する調整が行えるだけでなく、両軸部材の軸線を含む平面とディスクの記録面との平行度を確保する調整も行える。また、検出精度をさらに向上させるために、一対の軸部材の双方にこの種の調整装置を設け、それぞれの取付高さを調整可能としてもよい。
【００２４】
【発明の効果】
本発明は、以上説明したような形態で実施され、以下に記載されるような効果を奏する。
【００２５】
軸部材とは機構シャーシに対して積み重ねずに該軸部材に対して並設され、機構シャーシに調整ねじを介して連結した調整ブラケットを備え、調整ねじを機構シャーシ側の螺合部に対して螺進退させることにより調整ブラケットが支点部を中心に揺動することにより調整ブラケットの軸端支持部が機構シャーシに対して昇降し、この軸端支持部の昇降動作に伴って軸端支持部に支持された軸部材の一端部が機構シャーシに対して昇降されるようにしたため、これら軸部材の取付高さの調整を簡単に行うことができ、しかも、かかる調整装置は、軸端支持部の側方の適宜個所で調整ブラケットに調整ねじを取り付けたり、その支点部に機構シャーシを係止させたりすればよく、高さ方向に軸部材、調整ブラケット等の各部材を積み重ねない構成で軸部材の高さ調整を行なえて、ディスク装置の薄型化を阻害する心配がない。また、ばね部材および調整ねじを調整ブラケットの軸端支持部と支点部との間に配設しておけば、調整ブラケットをさほど大きくする必要がなくなるので、スペースファクタの向上を図るうえで好ましい。
【図面の簡単な説明】
【図１】本発明の実施形態例に係る光ピックアップ移送機構の調整装置を示す分解斜視図である。
【図２】該調整装置の断面図である。
【図３】該調整装置の平面図である。
【図４】光ピックアップ移送機構を説明するための平面図である。
【符号の説明】
１０  スクリューシャフト（軸部材）
１１  機構シャーシ
１１ａ  螺合部
１２  切り起こし部
１２ａ  幅広先端部
１２ｂ  幅狭ガイド部
１３  ガイドピン
１４  コイルばね
１５  調整ブラケット
１５ａ  軸端支持部
１５ｂ  長孔
１５ｃ  ねじ挿通孔
１５ｄ  幅広孔
１５ｅ  幅狭孔
１５ｆ  係止孔
１５ｇ  支点部
１６  調整ねじ
【図１】
0003797846.tif 000002
【図２】
0003797846.tif 000003
【図３】
0003797846.tif 000004
【図４】
0003797846.tif 000005